(57)【要約】【課題】使い勝手が良く、一般施設への訪問者においても安心でリラックスした状態で容易に利用できるエアシャワー装置を提供する。【解決手段】エアシャワー装置１は、対象者の衣類に付着した付着物を除去するためのエアシャワー装置であって、タッチパネル式のディスプレイ装置４と、制御部と、を備えている。ディスプレイ装置４には、対象者の身長区分を入力するためのボタンが表示される。対象者は、表示されたボタンを操作することにより、身長区分を入力する。制御部は、前記身長区分に応じて開閉シャッターを制御することにより、対象者の頭部の位置に対する空気の噴出を行わないようにする。【選択図】図１
2012026698.tif 000002
【特許請求の範囲】
【請求項１】
対象者の衣類に付着した付着物を除去するためのエアシャワー装置であって、
対象者の頭部の位置に関する情報を取得する頭部位置取得部と、
前記頭部の位置に関する情報に応じて、頭部の位置に対する空気の噴出を弱める、又は当該頭部の位置に対する空気の噴出を行わないようにする噴出エア調整部と、
を備えることを特徴とするエアシャワー装置。
【請求項２】
対象者の衣類に付着した付着物を除去するためのエアシャワー装置であって、
対象者の頭部の位置に関する情報を取得する頭部位置取得部と、
対象者の移動可能方向に並べて設けられ、高さ方向のノズルの配置がそれぞれ異なる複数のノズル群と、
前記対象者の頭部の位置に関する情報に応じて、前記ノズル群の何れか一つに対象者を誘導する誘導部と、
を備えることを特徴とするエアシャワー装置。
【請求項３】
請求項１又は２に記載のエアシャワー装置であって、
エアシャワー作動中に、対象者に情報を提示する情報提示装置を備えることを特徴とするエアシャワー装置。
【請求項４】
請求項１から３までの何れか一項に記載のエアシャワー装置であって、
対象者がエアシャワーを浴びるために入室するエアシャワー室と、
当該エアシャワー室内の環境を制御する環境制御部と、
を備えることを特徴とするエアシャワー装置。
【発明の詳細な説明】
【技術分野】
【０００１】
本発明は、医療福祉施設、各種事務所や、レストランなどの出入口に設置され、施設従事者や訪問者などに付着した塵埃、花粉や、細菌などをエアシャワーで除去するエアシャワー装置の構造に関する。
【背景技術】
【０００２】
従来のエアシャワー装置は、医療現場や、半導体工場のクリーンルームなどの施設出入口に設置され、作業者や部品などに付着した塵埃や花粉などを除去するものであり、エアシャワーを全身に浴びせかける構成が一般的である。この種のエアシャワー装置は、例えば特許文献１に開示されている。
【０００３】
このようなエアシャワーの対象者として想定されているのは、医療関係者、クリーンルームでの部品組立作業者などの特定少数の人物である。これら従来のエアシャワーの対象者は、エアシャワー装置による強烈なエアの吹き付けに慣れており、当該エアシャワーを浴びる際の注意事項も熟知している。従って、従来のエアシャワー装置においては、対象者の全身に強烈なエアを吹き付けても問題が発生することは少なかった。
【０００４】
一方、今日では、医療福祉施設、一般事務所、レストラン等において、塵埃や花粉などの施設内への持ち込みを防止する目的で、施設入口にエアシャワーを設置したいというニーズがある。
【０００５】
しかし、医療福祉施設、一般事務所やレストラン等を訪れる不特定多数の訪問客はエアシャワーに慣れておらず、例えば頭部や顔面に強烈なエアが吹き付けられると、不快感を訴える場合がある。また、頭部や顔面に強烈なエアが吹き付けられると、頭髪の乱れの原因となったり、メガネやイヤリングなどが吹き飛ばされる可能性があるため、各種注意事項を十分に説明したうえで、問題が発生したときにも保障できないことを納得してもらう必要があるなど、非常に多くの制限事項が発生してしまう。
【０００６】
そこで、不特定多数の訪問客が訪れる施設においては、頭部や顔面に対してエアが吹き付けられることによる問題点を解消し、従来のエアシャワーよりも手軽に利用できるエアシャワーが望まれる。この点、特許文献２は、エアシャワー装置の高速ジェットを直接人の頭部に吹き出さないように構成することにより、利用者が不快感を感じることなく快適に利用することができるとしている。
【先行技術文献】
【特許文献】
【０００７】
【特許文献１】特開２００８−１３８９６６号公報
【特許文献２】特開２００７−２５５７７８号公報
【発明の概要】
【発明が解決しようとする課題】
【０００８】
しかしながら、特許文献２に記載のエアシャワー装置は標準的な体型の人を想定して構成されている。従って、当該エアシャワー装置を利用する人の身長が標準的な体型よりも低い場合は、高速ジェットが頭部に吹き付けられてしまうことを避けることはできない。
【０００９】
この点、特許文献１は、入室者の体格情報（身長や肩幅等）によって、入室者に対する吹き出し範囲及びパターンを変更する構成を開示している。しかしながら、特許文献１は効率良く空気を吹き付けることを目的とした構成であり、頭部に対する吹き付けによって発生する問題を解消することは目的とはしておらず、その旨の記載も無い。
【００１０】
また、不特定多数の訪問客が訪れる各種施設の入口にエアシャワー装置を設置する場合、エアシャワーによって訪問客に緊張感や不安感を与えるものは好ましくない。むしろ、訪問客をリラックスさせ、楽しませるエンターテイメント性を備えたエアシャワー装置が望まれる。
【００１１】
本発明は以上の事情に鑑みてされたものであり、その目的は、使い勝手が良く、一般施設への訪問者においても安心でリラックスした状態で容易に利用できるエアシャワー装置を提供することにある。
【課題を解決するための手段及び効果】
【００１２】
本発明の解決しようとする課題は以上の如くであり、次にこの課題を解決するための手段とその効果を説明する。
【００１３】
本発明の第１の観点によれば、以下の構成のエアシャワー装置が提供される。即ち、このエアシャワー装置は、対象者の衣類に付着した付着物を除去するためのエアシャワー装置であって、頭部位置取得部と、噴出エア調整部と、を備える。前記頭部位置取得部は、対象者の頭部の位置に関する情報を取得する。前記噴出エア調整部は、前記頭部の位置に関する情報に応じて、頭部の位置に対する空気の噴出を弱める、又は当該頭部の位置に対する空気の噴出を行わないようにする。
【００１４】
これにより、エアシャワー装置において頭部へのエアシャワーを抑制することができる。従って、エアシャワーに慣れていない一般訪問客に対しても、制約なく安心してエアシャワーを利用できるので、不特定多数の訪問者が訪れる施設においても効率的にクリーン環境を確保することができる。
【００１５】
本発明の第２の観点によれば、以下の構成のエアシャワー装置が提供される。即ち、このエアシャワー装置は、対象者の衣類に付着した付着物を除去するためのエアシャワー装置であって、頭部位置取得部と、複数のノズル群と、誘導部と、を備える。前記頭部位置取得部は、対象者の頭部の位置に関する情報を取得する。前記複数のノズル群は、対象者の移動可能方向に並べて設けられ、高さ方向のノズルの配置がそれぞれ異なる。前記誘導部は、前記対象者の頭部の位置に関する情報に応じて、前記ノズル群の何れか一つに対象者を誘導する。
【００１６】
この構成により、対象者を、当該対象者の頭部の位置に合った高さのノズル群まで誘導することができるので、エアシャワー装置において頭部へのエアシャワーを抑制することができる。従って、エアシャワーに慣れていない一般訪問客に対しても、制約なく安心してエアシャワーを利用できるので、不特定多数の訪問者が訪れる施設においても効率的にクリーン環境を確保することができる。
【００１７】
前記のエアシャワー装置は、エアシャワー作動中に、対象者に情報を提示する情報提示装置を備えることが好ましい。
【００１８】
これにより、エアシャワーを浴びている対象者の緊張感を和らげるとともに、エアシャワーを浴びている時間を利用して各種の有用な情報を対象者に提供することができる。
【００１９】
前記のエアシャワー装置は、対象者がエアシャワーを浴びるために入室するエアシャワー室と、当該エアシャワー室内の環境を制御する環境制御部と、を備えることが好ましい。
【００２０】
このように、エアシャワー室内の環境を制御することで、対象者の満足度を更に向上させることができる。
【図面の簡単な説明】
【００２１】
【図１】本発明の一実施形態に係るエアシャワー装置の全体的な構成を示す斜視図。
【図２】ドアを閉じた状態を示す斜視図。
【図３】噴出ノズルの配置を説明する図。
【図４】エアシャワーが頭部にかかることを許容するか否かの確認メッセージの例を示す図。
【図５】エアシャワーを開始する操作を行うように誘導するメッセージの例を示す図。
【図６】身長区分を入力するように誘導するメッセージの例を示す図。
【図７】開閉シャッターの平面図。
【図８】（ａ）開閉シャッターの「全開位置」を示す図。（ｂ）開閉シャッターの「第４段遮断位置」を示す図。（ｃ）開閉シャッターの「第３段遮断位置」を示す図。（ｄ）開閉シャッターの「第２段遮断位置」を示す図。
【図９】洗浄度を示すインジケータの表示例を示す図。
【図１０】スポット照明の配置例を示す図。
【図１１】（ａ）ディスプレイ装置に夜空を表示する際の照明例。（ｂ）ディスプレイ装置に水中の風景を表示する際の照明例。
【図１２】（ａ）ディスプレイ装置に森の中の風景を表示する際の照明例。（ｂ）ディスプレイ装置に夕焼けの風景を表示する際の照明例。
【図１３】変形例に係る開閉シャッターの平面図。
【図１４】噴出ノズルの配置の変形例。
【図１５】指向性スピーカの配置方法を示す図。
【図１６】第２実施形態に係るエアシャワー装置における噴出ノズルの配置を説明する図。
【図１７】第２実施形態において対象者の身長に応じて立ち位置を変更する様子を説明する図。
【図１８】メッセージ及び各種情報をディスプレイ装置にまとめて表示した例を示す図。
【発明を実施するための形態】
【００２２】
次に、図面を参照して本発明の第１実施形態を説明する。図１及び図２は、本発明の一実施形態に係るエアシャワー装置１の概略的な外観斜視図である。このエアシャワー装置１は、介護医療関係の施設、一般事務所、レストランなどの不特定多数の来訪者が発生する各種施設の入口に設置される。
【００２３】
エアシャワー装置１は、エアシャワーを利用する人（以下、対象者という）が入るためのエアシャワー室２を備えている。このエアシャワー装置１は各種施設の入口に設置されるので、当該施設への来訪者がエアシャワー室２を通り抜けできるように、当該エアシャワー室２は入口５及び出口６を備えている。もっとも、出入口を１つのみ備える構成であっても良い。
【００２４】
図１に示すように、エアシャワー室２内において、入口５と出口６の間の壁面には、エアを噴出するための複数の噴出ノズル３と、対象者に向けた各種メッセージを表示するディスプレイ装置４と、配置されている。また、本実施形態のディスプレイ装置４は、対象者が入力操作を行うことができるようにするため、タッチパネル式のディスプレイとして構成されている。
【００２５】
また、エアシャワー室２は、噴出ノズル３からのエア噴出時（エアシャワー作動時）に入口及び出口を塞ぐドア７を備えている。これによりエアシャワー室２を略密室状態とし、エアシャワー室２から外部に向かってエアが吹き出すことを防止する。図２は、入口のドア７が閉じられた状態を示している。なお、ドア７は自動ドアであっても良いし、対象者が手動で開閉する構成でも良い。
【００２６】
図３に示すように、本実施形態のエアシャワー装置は、左右二列、上下４段の計８個の噴出ノズル３を備えている。ここで、上下４段の噴出ノズルのうち、一番下の噴出ノズルを第１段ノズル３１、下から２段目の噴出ノズルを第２段ノズル３２、下から３段目の噴出ノズルを第３段ノズル３３、一番上の噴出ノズルを第４段ノズル３４とする。
【００２７】
図に示すように、第１段ノズル３１は、身長１１０ｃｍの対象者の頭部の位置よりも下方に配置されている。また、第２段ノズル３２は、身長１４０ｃｍの対象者の頭部の位置よりも下方であって、身長１１０ｃｍの対象者の頭部の位置に対応する高さに配置されている。また、第３段ノズル３３は、身長１７０ｃｍの対象者の頭部の位置よりも下方であって、身長１４０ｃｍの対象者の頭部の位置に対応する高さに配置されている。また、一番上の第４段ノズル３４は、身長１７０ｃｍの対象者の頭部の位置に対応する高さに配置されている。
【００２８】
また、エアシャワー装置１は、当該エアシャワー装置１の各構成を制御するための制御部（図略）を備えている。以下、制御部による制御について説明する。
【００２９】
制御部は、対象者がドア７を開けてエアシャワー室２内に入室したことを検知すると、図４に示すように、エアシャワーが頭部にかかることを許容できるか否かを確認するメッセージをディスプレイ装置４に表示する。即ち、対象者がエアシャワーに慣れている場合などは、頭部や顔面へのエアの吹き付けを行っても良いと対象者自身が判断することも考えられるので、このように頭部や顔面へのエアの吹き付けを行うか否かを確認するのである。また、制御部は、上記メッセージと合わせて、頭部へのエアシャワーを許容することを選択する「はい」ボタンと、頭部へのエアシャワーを許容しないことを選択する「いいえ」ボタンと、をディスプレイ装置４に表示する。対象者は、タッチパネル式のディスプレイ装置４に触れることにより、上記「はい」ボタンと「いいえ」ボタンの何れかを操作することができる。
【００３０】
対象者が頭部へのエアシャワーを許容することを選択した場合（図４の「はい」ボタンを操作した場合）には、制御部は、図５に示すように、エアシャワーを開始するボタンを操作するように誘導するメッセージと、「エアシャワー開始」ボタンと、をディスプレイ装置４に表示する。そして、対象者がエアシャワー開始ボタンを操作すると、制御部は、全ての噴出ノズル３からエアが噴出されるように制御する。これにより、第１から第４段ノズルの全ての噴出ノズル３から空気が噴出されるので、対象者の全身（頭部、顔面を含む）に対してエアを吹き付けることができる。
【００３１】
一方、対象者が頭部へのエアシャワーを許容しないことを選択した場合（図４の「いいえ」ボタンを操作した場合）には、制御部は、図６に示すように、対象者の身長を入力する操作を行うように誘導するメッセージと、対象者の身長区分を入力するボタンと、をディスプレイ装置４に表示する。本実施形態では、対象者の身長区分として、「１７０ｃｍ以上」「１４０ｃｍ以上１７０ｃｍ未満」「１１０ｃｍ以上１４０ｃｍ未満」「１１０ｃｍ未満」を選択するボタンがそれぞれディスプレイ装置４に表示される。対象者は、タッチパネル式のディスプレイ装置４に触れることにより、上記身長区分を入力するボタンの何れかを操作することができる。
【００３２】
そして対象者が身長区分を入力する操作を行うと、制御部は、当該身長区分に応じて、対象者の頭部や顔面にエアが吹き付けられないようにしつつ、噴出ノズル３からのエアの噴出を開始する。
【００３３】
具体的には、「１１０ｃｍ以上１４０ｃｍ未満」が選択されている場合には、制御部は、第１段ノズル３１からのみエアの噴出を行う。このように、この身長区分の対象者の頭部の位置に対応している第２段ノズル３２からのエアの吹き付けを行わないので、頭部や顔面に対してエアが吹き付けられてしまうことを防止できる。同様に、「１４０ｃｍ以上１７０ｃｍ未満」が選択されている場合には、制御部は、第１段ノズル３１及び第２段ノズル３２からエアの噴出を行う。このように、この身長区分の対象者の頭部の位置に対応している第３段ノズル３３からのエアの吹き付けを行わないので、頭部や顔面に対してエアが吹き付けられてしまうことを防止できる。また、「１７０ｃｍ以上」が選択されている場合には、制御部は、第１段ノズル３１、第２段ノズル３２及び第３段ノズル３３からエアの噴出を行う。このように、この身長区分の対象者の頭部の位置に対応している第４段ノズル３４からのエアの吹き付けを行わないので、対象者の頭部や顔面に対してエアが吹き付けられてしまうことを防止できる。以上のように、制御部は、対象者の身長に関する情報に応じて、当該対象者の頭部に対するエアの噴出を行わないようにしているので、噴出エア調整部として機能していると言うこともできる。
【００３４】
以上の構成により、頭部や顔面に強烈なエアが吹き付けられることを防止できるので、エアシャワーに不慣れな対象者であっても、頭部や顔面へのエアの吹き付けによる不快感を感じさせることが無い。また、メガネ、イヤリング等を吹き飛ばしてしまうことも防止できるので、安全かつ手軽に利用できるエアシャワー装置を実現することができる。
【００３５】
なお、タッチパネル式のディスプレイ装置４で入力される身長区分は、対象者の頭部の位置に関する情報であると言うことができる。というのは、入力された身長区分に応じて制御部がエアの噴出を調整することにより、対象者の頭部の位置を避けてエアを噴出することができるからである。従って、本実施形態のディスプレイ装置４は、頭部の位置に関する情報を取得するように構成されているという意味で、頭部位置取得部であると言うことができる。
【００３６】
なお、対象者の身長が１１０ｃｍ未満の場合、頭部へのエアの吹き付けを確実に防止するためには、一番下の第１段ノズル３１からのエアの吹き付けを行わないようにする必要がある。しかしながら、本実施形態では、エアシャワーの作動時においては、常に第１段ノズル３１からエアの噴出を行うように構成している。これは、少なくとも１つの噴出ノズルからエアを噴出しなければ、エアシャワーを作動させる意味が無いからである。そこで、対象者の身長区分として「１１０ｃｍ未満」が選択された場合、制御部は、頭部へのエアシャワーを防止できない旨の注意メッセージをディスプレイ装置４に表示するとともに、エアシャワーを開始するか、エアシャワーをキャンセルするかを選択するボタンをディスプレイ装置４に表示するように構成されている。
【００３７】
次に、噴出ノズルからの空気の噴出を調整するための機構について説明する。
【００３８】
本実施形態のエアシャワー装置１は、図７に示す開閉シャッター８を備えている。この開閉シャッター８は噴出ノズル３への空気の供給路に配置されており、当該開閉シャッター８の開閉により各噴出ノズル３への空気の供給を制御することができるように構成されている。また、エアシャワー装置は、開閉シャッターを上下に駆動するシャッター駆動装置（図略）を備えている。制御部は、シャッター駆動装置を制御することによりシャッターを上下に移動させ、これにより当該開閉シャッターの開閉を切り替えることにより、各噴出ノズルからの空気の噴出を制御することができる。
【００３９】
以下、より具体的に説明する。図７に示すように、開閉シャッター８には長孔８ａ，８ｂが形成されている。そして、図８に示すように、第２段ノズル３２及び第３段ノズル３３には、この長孔８ａ，８ｂを介して空気を噴出供給するようになっている。ここで、第２段ノズル３２に対応した長孔８ａを第２段用長孔、第３段ノズル３３に対応した長孔８ｂを第３段用長孔と呼ぶ。
【００４０】
図５（ａ）に示す状態では、開閉シャッター８は、第１段ノズル３１と第４段ノズル３４との間に配置される。従って、第１段ノズル３１及び第４段ノズル３４への空気の供給は、開閉シャッター８によって遮断されていない。また前述のように、第２段ノズル３２及び第３段ノズル３３に対しては、長孔８ａ，８ｂを介して空気を供給する。従って、図５（ａ）の状態では、全ての噴出ノズル３からエアが噴出される。この図５（ａ）の状態における開閉シャッター８の位置を、全開位置とする。
【００４１】
図５（ａ）の状態から開閉シャッター８を上方にスライドさせると、当該開閉シャッター８の上端によって第４段ノズル３４に対する空気の供給が遮断されるようになっている（図５（ｂ）の状態）。また、第２段用長孔８ａ及び第３段用長孔８ｂは上下方向に長く形成されており、開閉シャッター８を図５（ｂ）の位置までスライドさせても第２段ノズル３２及び第３段ノズル３３への空気の供給は遮断されてないように構成されている。即ち、開閉シャッターを図５（ｂ）の位置とすることで、第４段ノズルからのエアの噴出のみを停止することができる。この図５（ｂ）の状態における開閉シャッター８の位置を、第４段遮断位置とする。
【００４２】
第４段遮断位置から開閉シャッター８を更に上方にスライドさせると、第４段ノズル３４に加えて第３段ノズル３３が遮断される（図５（ｃ）の状態）。なお、第２段用長孔８ａは第３段用長孔８ｂよりも上下に長く形成されているので、図５（ｃ）の位置まで開閉シャッターをスライドさせても第２段ノズル３２への空気の供給は遮断されないように構成されている。即ち、開閉シャッターを図５（ｃ）の位置とすることで、第４段ノズル３４及び第３段ノズル３３からのエアの噴出を停止することができる。この図５（ｃ）の状態における開閉シャッター８の位置を、第３段遮断位置とする。
【００４３】
第３段遮断位置から更に開閉シャッターを上方にスライドさせると、第４段ノズル及び第３段ノズルに加えて、第２段ノズルも遮断される（図５（ｄ）の状態）。即ち、開閉シャッターを図５（ｄ）の位置とすることで、第２から第４段ノズルからのエアの噴出を停止することができる。この図５（ｄ）の状態における開閉シャッターの位置を、第２段遮断位置とする。
【００４４】
なお、開閉シャッター８の下端は、常に第１段ノズル３１よりも上方に位置するように構成されている。従って、第１段ノズル３１に対する空気の供給は、開閉シャッター８によって遮断されることはない。このように、本実施形態のエアシャワー装置１では、第１段ノズル３１は常に開放状態となっている。
【００４５】
そして、制御部は、対象者が身長区分を入力すると、当該身長区分に対応した位置まで開閉シャッター８を移動させて、各噴出ノズル３に対するエアの供給を開始するように構成されている。具体的には、「１７０ｃｍ以上」が選択された場合には開閉シャッター８を第４段遮断位置に、「１４０ｃｍ以上１７０ｃｍ未満」が選択された場合には開閉シャッター８を第３段遮断位置に、「１１０ｃｍ以上１４０ｃｍ未満」が選択された場合には開閉シャッター８を第２段遮断位置に、それぞれ移動させる。これにより、対象者の身長に応じて、対象者の頭部や顔面にエアが吹き付けられないようにエアの噴出を調整することができる。
【００４６】
なお、図４の画面で頭部へのエアシャワーを許容することを対象者が選択した場合には、制御部は、開閉シャッター８を全開位置に移動させた上で、エアの供給を開始する。これにより、全ての噴出ノズル３からエアを噴出させ、対象者の全身（頭部や顔面を含む）にエアを吹き付けることができる。
【００４７】
続いて、エアシャワーの作動中に、対象者に対して各種情報を提供する構成について説明する。
【００４８】
即ち、エアシャワー作動中において、対象者は強力なエア及び騒音にさらされるため、エアシャワーに慣れていない対象者は強い緊張感を感じる場合がある。またエアシャワーの作動中の対象者はただエアを浴びているだけなので、対象者が退屈に感じる場合もある。そこで本実施形態のエアシャワー装置１は、上記のような緊張感を取り除くとともに、エアシャワー作動中の時間を有効利用すべく、エアシャワー作動中に対象者に対して各種情報を提供する情報提供装置を備えている。
【００４９】
本実施形態のエアシャワー装置１は、身長区分を入力するように操作を促す誘導メッセージを対象者に対して表示するためのディスプレイ装置４を備えているので、このディスプレイ装置４を情報提供装置としても使用する。このように、誘導メッセージを表示する装置と、各種情報と提供する装置と、を兼用することにより、エアシャワー装置１の構成をシンプルにしてコストを抑えることができる。
【００５０】
ディスプレイ装置４に表示させる情報としては各種のものが考えられるが、本実施形態のエアシャワー装置１を不特定多数が訪れる施設の入口に設置した場合、初めてその施設を訪問する人に向けた情報を発信するように構成すれば、設置施設への問い合わせの対応業務の効率化や訪問者の購買意欲を促進する効果を期待できるので好適である。
【００５１】
具体的には、医療関係施設においては、訪問事由に応じた受付窓口の場所や入院患者の病棟紹介と施設への経路等をディスプレイ装置４に表示することが考えられる。一般企業の事務所においては、部門や会議室や電話番号の紹介を表示することが考えられるし、大きな工場では工場棟や入門手続きの紹介などをディスプレイ装置４に表示しても良い。またレストランにおいては、季節のお得セットメニューや本日のお勧め料理をアピールし、注文への誘導を図ることができる。
【００５２】
エアシャワー装置１の設置者は、一般的なアプリケーションソフトで独自に作成した情報をエアシャワー装置１に登録し、対象者に対して情報を配信することにより大きな効果を得ることができる。特にスライドショーや動画の形式で情報を作成することにより、わかりやすく印象的な情報配信を行うことができる。また、エアシャワー装置１の作動中に対象者に対して各種情報を提供することで、対象者の緊張感を和らげる効果が期待できるとともに、エアシャワー作動中の時間を有効利用することができるので対象者が退屈することも防止できる。このようにエアシャワー中に各種情報を対象者に提示することで、エアシャワー装置１に対する対象者の満足度を向上させることができる。
【００５３】
なお、エアシャワー装置作動中に対象者に対して提供する情報は、当該エアシャワー装置１の設置施設に関する情報に限るものではない。例えば、夜空、夕焼け、水中、森林などの自然風景の写真や動画をディスプレイ装置４に表示することにより、対象者をリラックスさせて、エアシャワー装置１に対する満足度を向上させることができる。
【００５４】
また、満足度を向上させる別の情報としては、例えばエアシャワー室２内の洗浄度をディスプレイ装置４に表示しても良い。具体的には、図９に示すようにエアシャワー室２内の洗浄度を示すインジケータ（表示スケール）４０をディスプレイ装置４に表示して、エアシャワーによる洗浄の進行に従ってインジケータ４０の表示を増減させる。また、このようなインジケータ４０を表示するためのインジケータ装置を、ディスプレイ装置４とは別に装備してもよい。洗浄度については、エアシャワー室２内の回収空気中に含まれるホコリの数などを検出する装置を利用して、その検出結果を洗浄レベルとして表示する。このように構成すれば、エアシャワーの効果を視覚的に実感できるので、エアシャワーを浴びたことに対する満足度を向上させることができる。また、エアシャワーがいつ終わるのかを対象者が把握できるので、エアシャワー作動中に対象者が退屈してしまうことを防止できる。
【００５５】
また、このインジケータ４０の表示に代え、或るいはこれに加えて、エアシャワー装置の動作状態を示す動作状態表示４１を表示しても良い。即ち、制御部は、エアシャワー作動中においては、動作状態表示４１として「洗浄中」とディスプレイ装置４に表示する。エアシャワー室２内の空気が十分に洗浄されると、制御部は、動作状態表示４１として「洗浄完了」とディスプレイ装置４に表示するとともに、噴出ノズル３に対する空気の供給を停止し、エアシャワーを終了する。これにより、対象者は、エアシャワーによる洗浄が完了したことを確認することができる。
【００５６】
なお、エアシャワーの完了後、対象者がエアシャワー室２から出ることなく連続的にエアシャワーを作動させようとした場合、制御部は、動作状態表示４１として「洗浄不要」と表示し、エアシャワーを開始しないように制御しても良い。これによれば、追加のエアシャワーが不要であることを対象者に認識させることができ、無駄な動作を行わないようにすることができる。
【００５７】
次に、エアシャワー室２内の環境を制御する構成について説明する。
【００５８】
即ち、本実施形態のエアシャワー装置１は、対象者の満足度を更に向上させるため、制御部によってエアシャワー室２内の環境を制御するように構成している。ここでエアシャワー室２内の環境とは、温度、湿度、照明の強度及び照明色、音、あるいは室内の匂い等、エアシャワー室２の中で対象者が五感で感じることができる全てを含んでおり、これらの中で少なくとも何れか１つを制御部によって制御可能に構成されていれば良い。このように制御部によって環境を制御しているので、制御部は環境制御部としても機能するということができる。
【００５９】
例えば、エアシャワー装置１に、エアシャワー室２内の温度又は湿度の少なくとも一方を制御できる装置を備え、設置環境よりも少しだけ快適な環境となるように制御する（夏場などの高温多湿時には温度や湿度を下げ、冬場の低温乾燥時には逆に上げる）ことにより、利用者の満足度を向上させることができる。温度の制御はエアシャワー室２内の限定されたエリアで、かつ例えば１度程度の範囲であれば、ペルチェ素子などの簡易な温度制御装置により達成できる。
【００６０】
また本実施形態のエアシャワー装置１は、赤、緑、青の三原色に対応したＬＥＤ光源５０（図１０）をエアシャワー室２内に備えている。当該ＬＥＤ光源５０を制御部によって制御することにより、任意の光量及び照明色でエアシャワー室２内を照らすことができる。このように照明を制御することにより、例えば、エアシャワー室２内の雰囲気を、設置場所である事務所やレストランの雰囲気に合わせることができる。また本実施形態のエアシャワー装置１は、エアシャワー室２内の壁面に、図１０に示すようにスポット照明５１を多数配置している。制御部は、これらスポット照明５１を順次、あるいはランダムで点灯、点滅等させるように制御することにより、エアシャワー作動中においても対象者を飽きさせないように演出するとことができる。
【００６１】
更に本実施形態のエアシャワー装置１は、エアシャワー室２内の匂いを制御するための装置も備えている。例えば制御部によって制御可能な加熱プレートを装備し、各種香料を発散させるように構成すれば良い。また、香料を発散させることに限らず、エアシャワー室内に脱臭装置を備えても良い。このように装置内の脱臭により臭覚的な刺激を減少させることも、エアシャワー室内の環境を制御していると言うことができる。更に、上記脱臭効果を強調するため、例えばオゾン臭を発生させるなどしても良い。
【００６２】
更に、制御部による環境の制御は、対象者に対する情報の提示と連動して行うと、より効果的である。
【００６３】
例えば、ディスプレイ装置４に自然風景の写真や動画を表示する場合、当該風景に合わせてＬＥＤ光源５０及びスポット照明５１を制御すれば、まるでその場にいるような感覚を演出することができる。例えば、図１１（ａ）のようにディスプレイ装置に夜空の風景を表示する場合、制御部は、ＬＥＤ光源５０による照明を落としてエアシャワー室２内を暗くするとともに、壁面に配置されたスポット照明５１を点灯、点滅させることにより、あたかも星空の下にいるかのような環境を演出することができる。また例えば、図１１（ｂ）のようにディスプレイ装置４に水中の風景を表示する場合、制御部は、ＬＥＤ光源５０によってエアシャワー室２内を青く照明するとともに、スポット照明５１を下側から順次点灯させることにより立ち昇る水泡を表現するなどして、あたかも水中にいるような環境を演出することができる。この他にも、図１２（ａ）のようにディスプレイ装置に森の中の風景を表示する場合には、ＬＥＤ光源５０によってエアシャワー室２内を緑色に照明するとともに、スポット照明５１を順次点滅させて木漏れ日を演出すれば良いし、図１２（ｂ）のようにディスプレイ装置４に夕焼けの風景を表示する場合には、ＬＥＤ光源５０によってエアシャワー室２内を赤色に照明するように構成すれば良い。このように構成することで、対象者がエアシャワーをあびながらリラックスできるエンターテイメント性能を、エアシャワー装置１に付加することができる。
【００６４】
また、対象者への情報の提供と環境の制御を組み合わせた他の例として、例えばエアシャワー装置１をレストランに設置する場合に、ディスプレイ装置４にメニューを表示させるのと連動させて、対象者の食欲をそそる匂いを発散させれば好適である。この他にも、例えば、洗浄度を示すインジケータ４０を表示するのと連動させて、脱臭装置による脱臭を行い、更にオゾン臭を発生させれば、視覚と嗅覚の両面で洗浄効果を実感することが可能となり、対象者の満足度を更に向上させることができる。
【００６５】
次に、上記第１実施形態の変形例について説明する。
【００６６】
上記実施形態では、噴出ノズル３からの空気の噴出の調整は、上下にスライドする開閉シャッター８によって行うものとして説明したが、この構成に代えて、例えば図１３に示すような回転式の開閉シャッター１０８を用いても良い。この回転式の開閉シャッター１０８には、第２段ノズル３２、第３段ノズル３３、第４段ノズル３４のそれぞれに対応した孔１０８ａが形成されている。そして、制御部が開閉シャッター１０８を回転させることにより、各噴出ノズル３に対する空気の供給を制御できるように構成されている。
【００６７】
具体的には、開閉シャッター１０８を図１３（ａ）の位置に回転させると、孔１０８ａを通して全ての噴出ノズル３に対して空気が供給されるように、前記孔１０８ａが開閉シャッター１０８に形成されている。また、開閉シャッター１０８を図１３（ｂ）の位置に回転させると第４段ノズル３４に対する空気の供給が遮断され、開閉シャッター１０８を図１４（ｃ）の位置に回転させると第４段ノズル３４及び第３段ノズル３３に対する空気の供給が遮断され、開閉シャッター１０８を図１４（ｄ）の位置に回転させると第２から第４段ノズルに対する空気の供給が遮断されるように、前記孔１０８ａが開閉シャッター１０８に形成されている。
【００６８】
次に、上記第１実施形態の別の変形例について説明する。
【００６９】
上記第１実施形態のようにディスプレイ装置４をタッチパネル式の入力装置とした場合、図３のように第４段ノズル３４よりも上方にディスプレイ装置４を配置していると、身長の低い対象者は操作を行うことが難しい場合がある。そこで例えば図１４に示すように、噴出ノズル３を上下４段に並べた列と、第４段ノズルを省略して上下３段とした列とを形成し、上下３段の列の上にディスプレイ装置４を配置することも考えられる。このように構成すれば、図３に比べてディスプレイ装置４を低い位置に配置できるので、身長の低い対象者でもタッチパネルによる操作を容易に行うことができるようになる。もっとも、ディスプレイ装置は必ずしも噴出ノズル３が配置された壁面と同じ壁面に配置しなければならない訳ではなく、任意の場所に設置することができる。このように、噴出ノズル３及びディスプレイ装置４の配置は適宜変更することができる。
【００７０】
また、上記第１実施形態においては、ディスプレイ装置４にメッセージを表示することにより対象者の操作を誘導したり、或いは各種情報を提供したりしているが、このようなメッセージや情報は、ディスプレイ装置４によって視覚的な方法で提示する構成に限らない。例えば、メッセージや情報を、音声による聴覚的な方法で提示する構成も考えられる。そこで図１４の変形例に係るエアシャワー装置は、ディスプレイ装置４に加えてスピーカ５４を設け、このスピーカ５４から音声によりメッセージや各種情報を対象者に提供するように構成されている。従って、この変形例のスピーカ５４は情報提示装置であると言うことができる。
【００７１】
また、このようにエアシャワー装置がディスプレイ装置４とスピーカ５４とを備える場合、ディスプレイ装置４に表示された内容と同期させてスピーカ５４からの音声出力を行うように構成すれば、一層効果的な情報提供を行うことができて好適である。例えば、ディスプレイ装置４に施設の紹介動画を表示しつつ、スピーカ５４から当該施設を紹介するナレーションを放送することにより、効率良く非常にわかりやすい施設紹介を実施することができる。
【００７２】
ただし、エアシャワーの作動中は騒音が発生しているので、通常のスピーカで音声情報を提供しても聞き取りにくいという問題がある。また、周波数変動が少なく、かつ連続したノイズ環境において、音声情報を発信した場合、ノイズの周波数に応じた相乗効果によるドップラー現象により、情報が安定して伝達できないことが発生する。ここで、一般的に、ノイズの周波数変動が少なく、かつ連続したノイズを抑制する手段として、騒音アクティブ効果を応用することが知られており、自動車業界でも車内のノイズを抑制する手段として応用されている。そこで、ノイズと逆位相の音波をスピーカ５４より発信することにより、対象者が体感するノイズを抑制するように構成しても良い。
【００７３】
また、本変形例のエアシャワー装置では、特定のエリアに向けて音波を発信する指向性のスピーカ５４を利用し、ディスプレイ装置４の前に立つ対象者に向けて情報を配信するように構成している。指向性スピーカを利用することにより、騒音の中でも対象者に対して効率的に音声情報を提供することができる。
【００７４】
指向性スピーカ５４の配置方法について説明する。エアシャワー室２内において、対象者はディスプレイ装置４に表示された情報を見るために当該ディスプレイ装置４の正面に立っていると考えられる。また、身長の低い対象者は、高い位置にあるディスプレイ装置４に近づき過ぎるとかえって見えにくいので、ディスプレイ装置から少し離れた位置に立っていると考えられる。そこで、指向性スピーカ５４をディスプレイ装置４の上方に配置し、下方斜め前に向けて音声情報を発信するように構成すれば好適である。これによれば、図１５に示すように、対象者の身長に差異が生じた場合にも、音波の発信角度を調整する必要がなく、効果的に音声情報を伝達することが可能となる。
【００７５】
以上で説明したように、上記実施形態のエアシャワー装置１は、対象者の衣類に付着した付着物を除去するためのエアシャワー装置であって、タッチパネル式のディスプレイ装置４と、制御部と、を備えている。ディスプレイ装置４は、対象者の身長区分を取得する。制御部は、前記身長区分に応じて開閉シャッター８（又は開閉シャッター１０８）を制御することにより、対象者の頭部の位置に対する空気の噴出を行わないようにする。
【００７６】
これにより、エアシャワー装置において頭部へのエアシャワーを抑制することができる。従って、エアシャワーに慣れていない一般訪問客に対しても、制約なく安心してエアシャワーを利用できるので、不特定多数の訪問者が訪れる施設においても効率的にクリーン環境を確保することができる。
【００７７】
また、本実施形態のエアシャワー装置１は、エアシャワー作動中に、対象者に情報を提示するディスプレイ装置４を備えている。また、変形例に係るエアシャワー装置は、エアシャワー作動中に、対象者に情報を提示するスピーカ５４を備えている。
【００７８】
これにより、エアシャワーを浴びている対象者の緊張感を和らげるとともに、エアシャワーを浴びている時間を利用して各種の有用な情報を対象者に提供することができる。
【００７９】
また、本実施形態のエアシャワー装置１は、対象者がエアシャワーを浴びるために入室するエアシャワー室２を備えている。そして、制御部は、当該エアシャワー室２内の環境を制御している。
【００８０】
このように、エアシャワー室内の環境を制御することで、対象者の満足度を更に向上させることができる。
【００８１】
次に、本発明の第２実施形態について説明する。なお、以下の説明において、上記第１実施形態と同一又は類似の構成については、第１実施形態と同一の符号を付して説明を省略する。
【００８２】
この第２実施形態に係るエアシャワー装置は、図１６に示すように、噴出ノズル３の高さ方向の配置を１段から４段までそれぞれ異ならせた４列の噴出ノズル列（ノズル群）を形成することにより、合計１０個の噴出ノズル３を設けている。
【００８３】
４列の噴出ノズル列は左右に並べられており、その高さ方向の噴出ノズル３の数が順番に多くなるように構成されている。具体的には、一番左の噴出ノズル列は第１段ノズル３１のみを、左から二番目の噴出ノズル列は第１段ノズル３１及び第２段ノズル３２を、左から三番目の噴出ノズル列は第１段から第３段ノズルを、一番右の噴出ノズル列は第１段から第４段ノズルを、それぞれ含んでいる。なお、各段の噴出ノズル３の高さは、第１実施形態と同様である。
【００８４】
この第２実施形態では、エアシャワーの作動時において、基本的に全ての噴出ノズル３からエアの吹き付けを行うように構成している。即ち、第２実施形態では、制御部は、対象者の頭部の位置に応じてエアの吹き付けを調整する制御は行わない。
【００８５】
頭部の位置に応じてエアの調整を行う代わりに、第２実施形態における制御部は、身長区分に応じた立ち位置に移動するように対象者を誘導するように構成されている。即ち、対象者がタッチパネル式のディスプレイ装置４を操作して身長区分を入力すると、制御部は、ディスプレイ装置４に、当該身長区分に応じた噴出ノズル列の前まで移動するように対象者を誘導するメッセージを表示する。従って、本実施形態の制御部は、誘導部として機能していると言うことができる。もっとも、エアシャワー装置がスピーカを備えている場合には、音声によって上記のような誘導を行っても良い。
【００８６】
具体的には以下のとおりである、身長区分として「１１０ｃｍ以上１４０ｃｍ未満」が入力された場合、制御部は、「一番左の噴出ノズル列の前まで移動してください」という誘導メッセージをディスプレイ装置４に表示する。この身長区分の対象者は、誘導メッセージのとおりに一番左の噴出ノズル列の前に移動することにより、図１７に示すように、頭部の位置に噴出ノズル３が無い状態でエアシャワーを浴びることができるので、頭部にエアが吹き付けられてしまうことを防止できる。また、身長区分として「１７０ｃｍ以上」が入力された場合、制御部は、「左から３番目の噴出ノズル列の前まで移動してください」という誘導メッセージをディスプレイ装置４に表示する。この身長区分の対象者は、誘導メッセージのとおりに左から３番目の噴出ノズル列の前に移動することにより、図１７に示すように、頭部の位置に噴出ノズル３が無い状態でエアシャワーを浴びることができるので、頭部にエアが吹き付けられてしまうことを防止できる。
【００８７】
同様に、身長区分として「１４０ｃｍ以上１７０ｃｍ未満」が入力された場合、制御部は、「左から２番目の噴出ノズル列の前まで移動してください」という誘導メッセージをディスプレイ装置４に表示する。なお、頭部へのエアシャワーを許容することを対象者が選択した場合には、制御部は、「一番右の噴出ノズル列の前まで移動してください」という誘導メッセージをディスプレイ装置４に表示すれば良い。この場合、対象者は全身（頭部、顔面を含む）にエアシャワーをあびることができる。
【００８８】
このように、身長に応じた噴出ノズル列の前まで対象者を誘導するという構成を採用することにより、噴出ノズル３からのエアを調整するという第１実施形態のような複雑な構造を必要とせず、シンプルな構成で、対象者の頭部や顔面へのエアの吹き付けを防止することができる。また、対象者は、エアシャワーの動作中であっても、自らの意思で図１７の左右方向に移動することにより、エアを浴びる噴出ノズル列を変更することができる。従って、柔軟で使い勝手の良いエアシャワー装置を提供することができる。
【００８９】
ただし、対象者が上記のような誘導メッセージを理解せず、指定された噴出ノズル列の前まで移動しないまま誤ってエアシャワーを作動させてしまうことも考えられる。対象者が間違ったノズル列の前に立っていると、頭部へのエアの吹き付けを防止することができない。しかし、対象者が誘導メッセージを理解しない場合であっても、身長区分を入力する時点では、当該対象者はタッチパネルを操作するためにディスプレイ装置４の正面に立っていると想定することができる。
【００９０】
そこで本実施形態では、ディスプレイ装置４を、身長が低い人向けのエリアに配置している。具体的には、図１６に示すように、左側の２列の噴出ノズル列の上に、ディスプレイ装置４を配置している。このように構成すれば、身長区分が入力された後、対象者が誘導メッセージに従わずにディスプレイ装置４の前に留まっている場合であっても、対象者の頭部や顔面にエアが吹き付けられてしまうことを防止することができる。また、図１６に示すように、左側の２列の噴出ノズル列には、高い位置の噴出ノズル（第４段ノズル３４及び第３段ノズル３３）が含まれていないので、ディスプレイ装置４を低い位置に配置することができる。これにより、背の低い人でもディスプレイ装置４を見易くなり、またタッチパネルによる操作も行い易くなる。
【００９１】
以上で説明したように、この第２実施形態のエアシャワー装置は、対象者の衣類に付着した付着物を除去するためのエアシャワー装置であって、タッチパネル式のディスプレイ装置４と、複数の噴出ノズル列と、制御部と、を備える。ディスプレイ装置４は、対象者の身長区分を取得する。複数の噴出ノズル列は、対象者の移動可能方向（図１６の左右方向）に並べて設けられ、高さ方向の噴出ノズル３の配置がそれぞれ異なる。制御部は、対象者の身長区分に応じて、噴出ノズル列の何れか一つに対象者を誘導する。
【００９２】
この構成により、対象者を、当該対象者の頭部の位置に合った高さのノズル群まで誘導することができるので、エアシャワー装置において頭部へのエアシャワーを抑制することができる。従って、エアシャワーに慣れていない一般訪問客に対しても、制約なく安心してエアシャワーを利用できるので、不特定多数の訪問者が訪れる施設においても効率的にクリーン環境を確保することができる。
【００９３】
以上に本発明の好適な実施形態及び変形例について説明したが、上記の構成は、例えば以下のように変更することもできる。
【００９４】
上記第１実施形態では、頭部に対応する位置の噴出ノズル３への空気の供給を開閉シャッターによって遮断する構成としたが、例えば開閉シャッターを半開状態とすることにより、頭部に対応する位置の噴出ノズル３へ供給する空気の流量を減少させるように構成しても良い。即ち、対象者の頭部へのエアの吹き付けを全く行わない構成に代えて、頭部へのエアの吹き付けを弱めるように構成することもできる。この構成であっても、強烈なエアが頭部や顔面に吹き付けられることがなくなるので、対象者の不快感を軽減することができる。
【００９５】
また、各噴出ノズルから噴出されるエアの調整は、上記のように開閉シャッターを用いる構成に限らない。例えば、各噴出ノズルに対応させて電磁弁を設け、当該電磁弁を制御することにより各噴出ノズルから噴出されるエアの勢いを調整するように構成しても良い。ただし、簡単な構成で複数の噴出ノズルのエアを調整できるという点では、上記実施形態のように開閉シャッターによる制御が特に好適である。
【００９６】
上記実施形態では、対象者が入力可能な身長区分は４つの区分としたが、複数であれば身長区分の数は限定されない。また、身長区分を入力する構成に代えて、身長を数値入力する構成であっても良い。また上記実施機形態では噴出ノズルの上下方向の数は最大４つとなっているが、これに限定されない。
【００９７】
上記実施形態では、対象者が自ら身長区分を入力する構成としたが、これに代えて、例えば適宜のセンサによって対象者の頭部の位置に関する情報を自動的に取得するように構成しても良い。この場合、当該センサを頭部位置取得部として把握することができる。なお、例えば車椅子を利用している人などは、頭部の位置と、実際の身長との関連性が少ないため、身長区分を入力するという上記実施形態の構成では頭部へのエアの吹き付けを防止することができない。このような場合であっても、センサによって自動的に頭部の位置を取得する構成を採用することにより、車椅子を利用している人の頭部へのエアの吹き付けを防止することができる。
【００９８】
上記実施形態では、対象者による入力操作のためにディスプレイ装置をタッチパネル式としたが、ディスプレイ装置とは別に、対象者が操作するためのスイッチ類を配置する構成としても良い。この場合、ディスプレイ装置はタッチパネル式ではない安価な構成を用いることができる。また、ディスプレイ装置を省略して、例えばスピーカのみで情報提供と操作誘導を行う構成であっても良い。
【００９９】
上記実施形態では、対象者の操作を誘導するメッセージや、各種情報などをそれぞれディスプレイ装置に表示する構成としたが、図１８のように誘導メッセージや各種情報を１つのディスプレイ装置４にまとめて表示しても良いことはもちろんである。また、ディスプレイ装置４は１つに限らず、複数あっても良い。この場合、それぞれのディスプレイ装置４に異なる情報を表示することもできる。
【０１００】
対象者の操作を誘導するメッセージは文章で表示するものとして説明したが、わかり易いイラスト、アイコン、アニメーション等をディスプレイ装置４に表示することにより、対象者の操作を誘導するように構成しても良いことはもちろんである。第２実施形態において対象者の立ち位置を誘導するメッセージも同様である。
【０１０１】
上記実施形態では、エアシャワー室２内の回収空気中に含まれるホコリの数などを検出する装置を利用して、その検出結果を洗浄レベルとして表示する構成としたが、必ずしもこのようにエアシャワー室２内の実際の洗浄度を検出しなくても良い。例えば、エアシャワーを浴びた時間により達成された洗浄レベルを推測し、その洗浄レベルを表示する構成とすることができる。即ち、時間の経過とともにインジケータ４０の表示を減少させ、所定時間経過後に洗浄完了とする。インジケータ４０の表示は、ドア７の開放によりリセットすれば良い。この構成では正確な洗浄レベルを表示することはできないが、エアシャワーによる洗浄の進行度を視覚的に確認することができるので、対象者の満足度を向上させることができる。
【０１０２】
上記実施形態の説明では、医療福祉施設、一般事務所、レストラン等の施設入口にエアシャワー装置が設置されることを想定して説明したが、本願発明のエアシャワー装置の設置場所はこれに限るものではなく、様々な場所に設置することが可能である。
【符号の説明】
【０１０３】
１  エアシャワー装置
２  エアシャワー室
３  噴出ノズル
４  ディスプレイ装置（情報提示部、頭部位置取得部）
【図１】
2012026698.tif 000003
【図２】
2012026698.tif 000004
【図３】
2012026698.tif 000005
【図４】
2012026698.tif 000006
【図５】
2012026698.tif 000007
【図６】
2012026698.tif 000008
【図７】
2012026698.tif 000009
【図８】
2012026698.tif 000010
【図９】
2012026698.tif 000011
【図１０】
2012026698.tif 000012
【図１１】
2012026698.tif 000013
【図１２】
2012026698.tif 000014
【図１３】
2012026698.tif 000015
【図１４】
2012026698.tif 000016
【図１５】
2012026698.tif 000017
【図１６】
2012026698.tif 000018
【図１７】
2012026698.tif 000019
【図１８】
2012026698.tif 000020